(57)【要約】【課題】落下衝撃に強いレンズ鏡筒を提供する。【解決手段】レンズ鏡筒は、径方向に延びる第１突起および第２突起が設けられた第１筒と、前記第１突起が係合する第１カム溝、および、前記第２突起が内部に位置することが可能な第２カム溝が設けられた第２筒と、を備え、前記第１カム溝の一端の光軸方向に対する傾きは、他端の光軸に対する傾きよりも小さく、前記第１突起が前記第１カム溝の前記一端に位置するとき、前記第２突起は前記第２カム溝の外部に位置している。【選択図】図１
2020079968.tif 000002
【特許請求の範囲】
【請求項１】
径方向に延びる第１突起および第２突起が設けられた第１筒と、
前記第１突起が係合する第１カム溝、および、前記第２突起が内部に位置することが可能な第２カム溝が設けられた第２筒と、を備え、
前記第１カム溝の一端の光軸方向に対する傾きは、他端の光軸に対する傾きよりも小さく、
前記第１突起が前記第１カム溝の前記一端に位置するとき、前記第２突起は前記第２カム溝の外部に位置しているレンズ鏡筒。
【請求項２】
請求項１に記載のレンズ鏡筒であって、
前記第２カム溝の長さは前記第１カム溝の長さより短いレンズ鏡筒。
【請求項３】
請求項１または２に記載のレンズ鏡筒であって、
前記第１突起が前記第１カム溝の前記他端に位置するとき、前記第２突起は前記第２カム溝の内部に位置しているレンズ鏡筒。
【請求項４】
請求項１〜３のいずれか１項に記載のレンズ鏡筒であって、
前記第２カム溝内での前記第２突起の中心は、前記第２カム溝の前記光軸方向における中心よりも被写体側にオフセットした位置にあるレンズ鏡筒。
【請求項５】
請求項１〜４のいずれか１項に記載のレンズ鏡筒であって、
前記光軸を中心として周方向に延びる周溝が設けられた第３筒を備え、前記第２突起は前記周溝の内部に位置し、
前記第２突起が前記第２カム溝の外部に位置しているときも、前記第２突起は前記周溝の内部に位置しているレンズ鏡筒。
【請求項６】
請求項５に記載のレンズ鏡筒であって、
前記第３筒は、前記第１筒と前記第２筒の間に設けられ、前記第２突起は前記周溝を貫通しているレンズ鏡筒。
【請求項７】
請求項５または６に記載のレンズ鏡筒であって、
前記第２突起は、前記第３筒の周溝内に位置する第１部分と、前記第２カム溝内に位置する第２部分と、前記第１部分と前記第２部分との間に位置するとともに前記第１部分および前記第２部分よりも小径の小径部分と、を有するレンズ鏡筒。
【請求項８】
請求項１〜７のいずれか１項に記載のレンズ鏡筒であって、
前記第２筒は、前記第１筒の外周側に設けられ、前記第１突起および前記第２突起は、前記径方向の外側に延びているレンズ鏡筒。
【請求項９】
請求項１〜８のいずれか１項に記載のレンズ鏡筒を備えるカメラ。
【発明の詳細な説明】
【技術分野】
【０００１】
本発明は、レンズ鏡筒およびカメラに関するものである。
【背景技術】
【０００２】
従来、レンズ鏡筒が先端から落下して地面等に衝突した場合、その衝撃により、カム溝のカムピンとの接触部分が変形し、ズーム操作の感触が悪くなったりすることがある。この問題を解決するために、内部を移動するカムピンが同一の軌跡を描くようなカム溝を２つ設けたレンズ鏡筒がある（特許文献１参照）。
【先行技術文献】
【特許文献】
【０００３】
【特許文献１】特開２００３−４３３３１号公報
【発明の概要】
【０００４】
本発明は、レンズ鏡筒を、径方向に延びる第１突起および第２突起が設けられた第１筒と、前記第１突起が係合する第１カム溝、および、前記第２突起が内部に位置することが可能な第２カム溝が設けられた第２筒と、を備え、前記第１カム溝の一端の光軸方向に対する傾きは、他端の光軸に対する傾きよりも小さく、前記第１突起が前記第１カム溝の前記一端に位置するとき、前記第２突起は前記第２カム溝の外部に位置する構成とした。
また、本発明のカメラは、上記レンズ鏡筒を備える構成とした。
【図面の簡単な説明】
【０００５】
【図１】本実施形態のレンズ鏡筒の概略的な側面図であり、ワイドの状態を示す。
【図２】本実施形態のレンズ鏡筒の概略的な側面図であり、ワイドの状態とテレの状態との間のミドルの状態を示す。
【図３】本実施形態のレンズ鏡筒の概略的な構成を示す側面図であり、テレの状態を示す。
【図４】第１レンズ移動筒と前固定筒とのワイドの状態の展開図を示す。
【図５】第１レンズ移動筒と前固定筒とのミドルの状態の展開図を示す。
【図６】第１レンズ移動筒と前固定筒とのテレの状態の展開図を示す。
【図７】ミドルの状態およびテレの状態における、第２ピンの周囲の拡大図である。
【図８】図１における部分Ａの拡大図である。
【図９】固定リング、中固定筒および後固定筒の分解斜視図である。
【発明を実施するための形態】
【０００６】
以下、図面等を参照して実施形態について説明する。図１は、本実施形態のレンズ鏡筒１の概略的な側面図であり、ワイド（広角）の状態を示す。図２は、本実施形態のレンズ鏡筒１の概略的な側面図であり、ワイドの状態とテレ（望遠）の状態との間のミドルの状態を示す。図３は、本実施形態のレンズ鏡筒１の概略的な構成を示す側面図であり、テレの状態を示す。
【０００７】
本実施形態のレンズ鏡筒１は、図１において点線で示すカメラボディ２に着脱可能な交換式のレンズ鏡筒１である。なお、本実施形態のレンズ鏡筒１は、カメラボディに着脱可能なレンズ鏡筒であるが、これに限らず、カメラボディと一体のレンズ鏡筒であってもよい。
【０００８】
レンズ鏡筒１は、被写体側から順に配置された第１レンズ群Ｌ１、第２レンズ群Ｌ２、第３レンズ群Ｌ３および第４レンズ群Ｌ４を備える。
また、レンズ鏡筒１は、レンズ側マウント部１１、後固定筒２７、中固定筒２６、前固定筒２４、第１カム筒２２、第２カム筒２３、第１レンズ移動筒４０、第１移動枠５１、第２移動枠５２、第３移動枠５３、第４移動枠５４、フォーカスリング６１、ズーム操作リング２０およびズーム連動キー２１を備える。
ただし、レンズ鏡筒１の構成はこれに限定されるものではなく、固定筒、カム筒、移動枠の数や、以下に述べる配置は、本実施形態と異なるものであってもよい。
【０００９】
レンズ側マウント部１１は、カメラボディ２のレンズ側マウント部（図示せず）に着脱可能なバヨネットレンズ側マウント部である。ただし、レンズ鏡筒１とカメラボディ２の着脱構造はバヨネットレンズ側マウント部に限定されるものではない。
カメラボディ２には、不図示の撮像素子が設けられており、その撮像素子の撮像面に、レンズ鏡筒１のレンズ群Ｌ１〜Ｌ４による被写体像が結像される。
【００１０】
後固定筒２７は、レンズ側マウント部１１に固定され、中固定筒２６は、後固定筒２７に固定され、前固定筒２４は、中固定筒２６に固定されている。
なお、後固定筒２７と、中固定筒２６と、前固定筒２４との間の固定方法については後述する。
【００１１】
第１カム筒２２は、前固定筒２４の内径側に回転可能に配置されている。なお、第１カム筒２２と前固定筒２４と、第１レンズ移動筒４０と係合関係についても後述する。
第２カム筒２３は、後固定筒２７の外径側に回転可能に配置されている。
【００１２】
第１レンズ移動筒４０は、前固定筒２４の先端の外径側に光軸ＯＡ方向に移動可能に配置されている。
【００１３】
第１移動枠５１は、第１レンズ移動筒４０の先端に保持されている。第２移動枠５２は、第１カム筒２２の内径側に、光軸ＯＡ方向に移動可能に配置されている。第３移動枠５３は、後固定筒２７の内径側に配置され、第２カム筒２３の回転により駆動される。第４移動枠５４は、後固定筒２７の内径側に光軸ＯＡ方向に移動可能に配置されている。
【００１４】
フォーカスリング６１は、前固定筒２４の外径側に回転可能に取り付けられ、不図示の連結キーによって、その回転動作が伝達されるように第２移動枠５２に連結されている。
フォーカスリング６１を回転させると、第１カム筒２２が回転する。この回転によってフォーカシング動作が行われる。
【００１５】
ズーム操作リング２０は、第２カム筒２３の外径側に配置されている。
ズーム連動キー２１は、ズーム操作リング２０に取付けられ、第１カム筒２２と第２カム筒２３とを係合している。
【００１６】
ズーム操作リング２０を手動で回転させると、ズーム連動キー２１を介して、第２カム筒２３が回転し、それに伴い第１カム筒２２が回転する。
この回転によって第１レンズ移動筒４０、第１移動枠５１、第２移動枠５２、第３移動枠５３および第４移動枠５４が光軸ＯＡ方向に直進移動し、ズーミング動作が行われる。
【００１７】
図１に示すように、第１レンズ群はワイドの状態で最も繰出し、図２に示すようにミドルの状態で最も繰込み、図３に示すようにテレの状態ではミドルの状態よりも繰出し、ワイドの状態よりも繰込んだ状態となる。
【００１８】
図４は、第１レンズ移動筒４０と前固定筒２４とのワイドの状態の展開図を示す。図５は、第１レンズ移動筒４０と前固定筒２４とのミドルの状態の展開図を示す。図６は、第１レンズ移動筒４０と前固定筒２４とのテレの状態の展開図を示す。
また、図４から図６においては、それぞれの状態における後述する第１レンズ移動筒４０に設置されたインナー直進溝４１、第１インナーカム溝４２、第２インナーカム溝４３、１群直進ピン３１、１群カムピン３２および第２ピン３０の位置関係も示す。
【００１９】
前固定筒２４には、光軸ＯＡを中心とした周方向に延びるように設けられた円周溝２５および１群直進ピン３１が設けられている。円周溝２５および１群直進ピン３１はそれぞれ周方向に均等に３つ設けられている。
【００２０】
第１レンズ移動筒４０には、インナー直進溝４１、第１インナーカム溝４２、および第２インナーカム溝４３がそれぞれ周方向に均等に３本設けられている。
【００２１】
インナー直進溝４１は、光軸ＯＡに沿った方向に延び、前固定筒２４に取付けられた１群直進ピン３１が挿入されることにより第１レンズ移動筒４０の円周方向の移動が規制されている。
【００２２】
第１インナーカム溝４２は、光軸ＯＡを中心とした周方向に対する傾き（圧力角）θが位置によって異なるカム溝で、第１カム筒２２に取付けられた１群カムピン３２が挿入される。
【００２３】
第１カム筒２２に取り付けられた１群カムピン３２は、第１カム筒２２の回転を第１レンズ移動筒４０に伝達し、第２ピン３０は、光軸ＯＡ方向の移動を規制する。
また、第１カム筒２２には第２レンズ群Ｌ２を駆動するためのカム溝（図示せず）が設置されている。
【００２４】
第２インナーカム溝４３は、第１インナーカム溝４２の光軸ＯＡ方向のカメラボディ側（撮像面側）に設けられ、内部を移動する第２ピンの移動の軌跡が、第１インナーカム溝４２内を移動する１群カムピン３２の移動の軌跡と同一になるように形成されている。すなわち、第２インナーカム溝４３と、第１インナーカム溝４２とは、一定の間隔を置いて互いに平行となるように設けられ、同一のカーブを有している。
【００２５】
第２インナーカム溝４３と第１インナーカム溝４２との相違点は、長さが異なることであり、第２インナーカム溝４３は第１インナーカム溝４２より短い。
すなわち、第２インナーカム溝４３は、第１インナーカム溝４２と比べると、一端である光軸ＯＡ方向カメラボディ側（撮像面側）が途中で切れている。そして、第２インナーカム溝４３は光軸ＯＡカメラボディ側（撮像面側）において、第１レンズ移動筒４０の端面４０ａを貫通している。
このように第２インナーカム溝４３は第１インナーカム溝４２より短いので、レンズ鏡筒１がワイドの状態の場合、第２ピン３０は第２インナーカム溝４３の外に位置する。すなわち、第２ピン３０は、レンズ鏡筒１がミドルの状態からワイドの状態に操作された場合、第２インナーカム溝４３の内部から端面４０ａを通過して、第２インナーカム溝４３のカメラボディ側（撮像面側）の外部へと移動することになる。
【００２６】
一方、図２のミドルの状態および図３のテレの状態において、第２ピン３０は第２インナーカム溝４３内に位置する。
図７は、ミドルの状態およびテレの状態における、第２ピン３０の周囲の拡大図であり、第２ピン３０と、第１カム筒２２と、前固定筒２４と、第１レンズ移動筒４０とを示す。
図示するように第２ピン３０は、固定部３０ｄと、固定部３０ｄから延びる第１部分３０ａと、第２部分３０ｂと、その間に設けられた小径部３０ｃと、を備える。第１部分３０ａ、第２部分３０ｂ、小径部３０ｃの順に径が小さくなっている。
【００２７】
第２ピン３０の固定部３０ｄは第１カム筒２２に固定されている。
第２ピン３０の第１部分３０ａは、前固定筒２４に設けられた円周溝２５に係合することで、第１カム筒２２の光軸方向の移動を規制している。
第２ピン３０の小径部３０ｃの外径側および第２部分３０ｂは、円周溝２５から突き出している。
【００２８】
上述のように第１レンズ移動筒４０の第１インナーカム溝４２には、第１カム筒２２に取付けられた１群カムピン３２が挿入されている。第１カム筒２２が回転すると、その回転は１群カムピン３２により第１レンズ移動筒４０に伝達され、第１レンズ移動筒４０は第１インナーカム溝４２に沿って、光軸ＯＡ方向に移動する。
【００２９】
図１に示すようにワイド端において、１群カムピン３２は第１インナーカム溝４２内に位置する。しかし。第２ピン３０は第２インナーカム溝４３内に位置していない。すなわち、第２ピン３０は第２インナーカム溝４３の外に位置する。
【００３０】
第１レンズ移動筒４０がズーミングでワイド端からテレ側に移動すると、図２および図３に示すように第２インナーカム溝４３に第２ピン３０の第２部分３０ｂが入り込む。
【００３１】
第２ピン３０は、第２ピン３０の第２部分３０ｂが第２インナーカム溝４３内にある場合、図７に示すように、第２ピン３０の第２部分３０ｂの光軸ＯＡに沿った方向における中心４３ｂが、第２インナーカム溝４３の光軸ＯＡに沿った方向における中心４３ａから被写体側へオフセットした状態となるように、第１カム筒２２に取り付けられている。
したがって、この第２ピン３０の第２部分３０ｂが第２インナーカム溝４３内にある場合、第２インナーカム溝４３の被写体側端面４３ｃと第２部分３０ｂとの間隔ｄよりも、カメラボディ側（撮像面側）端面４３ｄと第２部分３０ｂとの間隔Ｄは広くなっている。
【００３２】
次に、本実施形態における中固定筒２６と後固定筒２７との固定方法を説明する。図８は、図１における部分Ａの拡大図である。図９は、固定リング１００，中固定筒２６および後固定筒２７の分解斜視図である。
【００３３】
後固定筒２７の先端側は、他の部分よりも内径が大きくなる拡大内径部２７ｃを有する。拡大内径部２７ｃと他の部分とは、径が異なるため、その境界に、被写体側を向く側面２７ｂが形成される。
また、拡大内径部２７ｃの内面には、後固定部ねじ部が設けられている。
中固定筒２６は、円環部材で、その最外径２６ａは、後固定筒２７の拡大内径部２７ｃの内径より小さい。
【００３４】
本実施形態のレンズ鏡筒１は、後固定筒２７と中固定筒２６とを連結させる固定リング１００を備える。
固定リング１００は円環形状で、円筒部１０１と、円筒部１０１の被写体側端部より径方向の外側に延びる鍔部１０２と、円筒部１０１の径方向の内側内方に延びる内延部１０３とを備える。
円筒部１０１の外径側には、固定リングねじ部１０４が設けられている。固定リングねじ部１０４は後固定筒ねじ部２７ａに螺合する。
【００３５】
内延部１０３における円筒部１０１から連続する部分には、斜面１０５が設けられている。すなわち、円筒部１０１から内延部１０３にかけて、内径が徐々に小さくなる。
【００３６】
中固定筒２６を、後固定筒２７の拡大内径部２７ｃ側より挿入する。そして、中固定筒２６と後固定筒２７の拡大内径部２７ｃとの間に固定リング１００の円筒部１０１をねじ込み、後固定筒ねじ部２７ａと固定リングねじ部１０４とを螺合させる。
【００３７】
固定リング１００の回転が進むにつれ、固定リング１００の斜面１０５が中固定筒２６の被写体側の外端部を押圧する。中固定筒２６のカメラボディ側（撮像面側）端面は、後固定筒２７の側面２７ｂに押圧される。
また、固定リング１００が中固定筒２６を押圧する部分は斜面１０５であるので、中固定筒２６は光軸ＯＡに向かう方向（中心に向かう方向）にも押圧され、中固定筒２６は光軸ＯＡに向かう方向に位置決めされる。
【００３８】
（本実施形態の効果）
（１）本実施形態によると、径方向外側に延びる１群カムピン３２および第２ピン３０が設けられた前固定筒２４と、第１レンズ群Ｌ１を間接的に保持し、１群カムピン３２が係合する第１インナーカム溝４２、および、第２ピン３０が内部を移動する第２インナーカム溝４３が設けられ、前固定筒２４の光軸ＯＡを中心とした回転によって１群カムピン３２を介して光軸ＯＡ方向に駆動される第１レンズ移動筒４０と、を備え、第２インナーカム溝４３は第１インナーカム溝４２より短く、１群カムピン３２が第１インナーカム溝４２のカメラボディ側（撮像面側）端部に位置するとき、第２ピン３０は第２インナーカム溝４３の外部に位置している。
【００３９】
レンズ鏡筒１が落下して地面に衝突する等、先端から衝撃力Ｆが加わった場合、その衝撃力Ｆは、レンズ鏡筒１の先端から第１レンズ移動筒４０に伝達されて、１群カムピン３２に加わる。
【００４０】
ここで、図５及び図６で示すような第１インナーカム溝４２の圧力角θ（光軸ＯＡを中心とした周方向に対する傾き）が小さい領域に１群カムピン３２が位置する場合、１群カムピン３２に光軸ＯＡ方向の衝撃力Ｆが加わる。
【００４１】
しかし、本実施形態においては、第１インナーカム溝４２内に位置する１群カムピン３２と、第２インナーカム溝４３内に位置する第２ピン３０の第２部分３０ｂとでこの衝撃力Ｆを受けることができる。
【００４２】
これにより、ズーミング駆動を行う１群カムピン３２等のズーム駆動部分への落下衝撃によるダメージを抑制し、ズーム作動感触やレンズ群偏芯による光学性能劣化を最小限にすることができる。
【００４３】
また、第１レンズ移動筒４０に設けられている第２インナーカム溝４３は第１インナーカム溝４２より短い。したがって、カム溝が２本ある構造であっても、第２インナーカム溝４３と第１インナーカム溝４２とが同じ長さの場合と比べて第１レンズ移動筒４０を短くすることができる。ゆえにレンズ鏡筒１の大型化を抑制できる。
【００４４】
（２）本実施形態によると、図４で示すように第２ピン３０が第２インナーカム溝４３の外部に位置しているときに１群カムピン３２が位置する第１インナーカム溝４２の部分の圧力角θ（すなわち、光軸ＯＡを中心とした周方向に対する傾き角）は、第１インナーカム溝４２の他の部分よりも大きい。
【００４５】
圧力角θが大きいと、上述した図５及び図６に示す場合と異なり、先端から受ける衝撃力Ｆは第１レンズ移動筒４０の繰込みによって吸収できる。
したがって、１群カムピン３２へのダメージは小さいので、ワイド端において第２ピン３０による衝撃吸収構造を設けなくても、１群カムピン３２等の変形等が生じる可能性が低い。
【００４６】
そこで、本実施形態では、第２インナーカム溝４３を必要最小限の長さとし、衝撃力が小さくなるワイド端においては第２インナーカム溝４３を設けない構造とした。
第２インナーカム溝４３をワイド端まで設ける必要がないので、第１レンズ移動筒４０の長さを短縮でき、衝撃吸収として必要な機能は確保しつつ且つ製品の大型化も抑制できる。
【００４７】
（３）本実施形態によると、図７に示すように第２インナーカム溝４３内での第２ピン３０の光軸ＯＡに沿った方向における中心４３ｂは、第２インナーカム溝４３の光軸ＯＡに沿った方向における中心４３ａよりも被写体側にオフセットしている。
【００４８】
すなわち、図７に示す衝撃力Ｆが第２ピン３０に加わり、第２ピン３０が曲がったとしても、曲がる方向は、隙間の間隔Ｄの広いカメラボディ側である。このため、第２ピン３０の第２部分３０ｂが第２インナーカム溝４３内を移動する際に、第２インナーカム溝４３の側壁に衝突する可能性が低く、駆動に支障が生じる可能性が低い。
【００４９】
（４）さらに本実施形態によると、光軸ＯＡを中心として周方向に延びる円周溝２５が設けられた前固定筒２４を備え、第２ピン３０は円周溝２５を貫通して第２インナーカム溝４３に係合し、第２ピン３０が第２インナーカム溝４３の外部に位置しているときも、第２ピン３０は円周溝２５の内部に位置している。
したがって、第２ピン３０は常に円周溝２５内に位置するので、第１カム筒２２の光軸ＯＡ方向の移動を確実に規制することができる。
【００５０】
（５）第２ピン３０は、前固定筒２４の円周溝２５と係合する第１部分と、第２インナーカム溝４３内に配置される第２部分と、第１部分と第２部分との間に位置するとともに第１部分および第２部分よりも小径の小径部分を有する。
【００５１】
本実施形態によると、第２ピン３０は、第２部分３０ｂに衝撃力Ｆが加わった場合、その力Ｆを第１部分３０ａで受ける。第１部分３０ａは前固定筒２４の円周溝２５の側壁で支えられているため、第２ピン３０の根本からの倒れを抑制できる。
【００５２】
また、第２部分３０ｂへ第２インナーカム溝４３の側壁が衝突して第２部分３０ｂがゆがんだ場合、その歪みによって小径部３０ｃが径を拡大する方向に変形する可能性がある。
この場合であっても、小径部３０ｃは第２部分３０ｂと第１部分３０ａよりも径が小さいため、小径部３０ｃの変形によって、第２ピン３０が第１レンズ移動筒４０の第１インナーカム溝４２に入らなくなる可能性が低い。
【００５３】
（６）本実施形態は、後固定筒２７と中固定筒２６とを連結させる固定リング１００を備える。
たとえば、比較形態として、中固定筒２６と後固定筒２７とを、光軸ＯＡに沿った方向に延びるビス等で止める場合、ヒスを回すドライバを光軸ＯＡと平行にして使用する必要がある。
この場合、ドライバを回すスペースが必要となるが、レンズ鏡筒１の場合は光軸ＯＡに沿ったスペースを確保することは難しい。
また、中固定筒２６と後固定筒２７とを光軸ＯＡに向かう方向（径方向）に延びるビス等で止める場合、ビスの頭が外径側に飛び出るため、レンズ鏡筒１の径が拡大される。
【００５４】
しかし、本実施形態によると、中固定筒２６と後固定筒２７とを固定する際に固定リング１００を用い、ドライバ等の道具を使用する必要がないため、そのためのスペースが必要ない。
また、ビスを用いないため、ビスの頭が径方向に飛び出すことがない。
さらに、固定リング１００一つによって光軸ＯＡに沿った方向と、光軸ＯＡに向かう方向への位置決めを行うことができる。
【符号の説明】
【００５５】
Ｌ１：第１レンズ群、Ｌ２：第２レンズ群、Ｌ３：第３レンズ群、Ｌ４：第４レンズ群、ＯＡ：光軸、１：レンズ鏡筒、２：カメラボディ、１１：レンズ側マウント部、２０：ズーム操作リング、２１：ズーム連動キー、２２：第１カム筒、２３：第２カム筒、２４：前固定筒、２５：円周溝、２６：中固定筒、２６ａ：最外径、２７：後固定筒、２７ａ：後固定筒ねじ部、２７ｂ：側面、２７ｃ：拡大内径部、３０：第２ピン、３０ａ：第１部分、３０ｂ：第２部分、３０ｃ：小径部、３０ｄ：固定部、３１：１群直進ピン、３２：１群カムピン、４０：第１レンズ移動筒、４０ａ：端面、４１：インナー直進溝、４２：第１インナーカム溝、４３：第２インナーカム溝、４３ｃ：被写体側端面、４３ｄ：撮像面側端面、５１：第１移動枠、５２：第２移動枠、５３：第３移動枠、５４：第４移動枠、６１：フォーカスリング、１００：固定リング、１０１：円筒部、１０２：鍔部、１０３：内延部、１０４：固定リングねじ部、１０５：斜面
【図１】
2020079968.tif 000003
【図２】
2020079968.tif 000004
【図３】
2020079968.tif 000005
【図４】
2020079968.tif 000006
【図５】
2020079968.tif 000007
【図６】
2020079968.tif 000008
【図７】
2020079968.tif 000009
【図８】
2020079968.tif 000010
【図９】
2020079968.tif 000011